(57)【要約】【課題】ＩＴ化された制作環境においても撮影者から編集者へテープを受け渡す感覚でコンテンツが受け渡されるワークフローを構築し、テープベースの制作スタイルに慣れた人が違和感なくＩＴ化された制作環境に溶け込め、かつＩＴ化のメリットも受けられる仕組みを提供する。【解決手段】記録メディアにコンテンツを記録する際、コンテンツの映像、音声データを記録せずにコンテンツを指し示す情報を仮想メディア２０４に記録するコンテンツポインタ作成手段２０３と、仮想メディア２０４からコンテンツを指し示す情報を読み出し、コンテンツを取得するコンテンツ取得手段２０５と、コンテンツ取得手段２０５が取得したコンテンツを表示するコンテンツ表示手段２０６によりコンテンツを管理する。【選択図】図２
2007128620.tif 000002
【特許請求の範囲】
【請求項１】
コンテンツを保存及び管理するコンテンツサーバと、
前記コンテンツの所在を指し示す情報であるインジェスト情報を記録メディアに記録するコンテンツポインタ記録手段と、
前記記録メディアに記録されている前記インジェスト情報をもとに前記コンテンツの所在を認識して前記コンテンツサーバから取得するコンテンツ取得手段と、
前記コンテンツ取得手段が取得したコンテンツを表示するコンテンツ表示手段とを具備するコンテンツ管理システム。
【請求項２】
前記コンテンツサーバ上のコンテンツを検索するコンテンツ検索手段をさらに具備し、
前記コンテンツポインタ記録手段は、前記コンテンツ検索手段の検索条件あるいは検索結果をインジェスト情報として記録する請求項１記載のコンテンツ管理システム。
【請求項３】
前記コンテンツサーバに前記コンテンツを転送するとともに、前記コンテンツのメタデータを前記コンテンツサーバに登録するインジェスト手段をさらに具備し、
前記コンテンツポインタ記録手段は、前記メタデータをインジェスト情報として記録する請求項１記載のコンテンツ管理システム。
【請求項４】
前記インジェスト情報として、コンテンツを一意に特定するコンテンツＩＤを使用する請求項１記載のコンテンツ管理システム。
【請求項５】
前記インジェスト情報として、コンテンツ作成時に付与されるメタデータを使用することを特徴とする請求項１記載のコンテンツ管理システム。
【請求項６】
前記インジェスト情報として、前記コンテンツを前記コンテンツサーバに登録時に付与されるメタデータを使用する請求項１記載のコンテンツ管理システム。
【請求項７】
前記インジェスト情報として、前記記録メディアのＩＤを使用する請求項１記載のコンテンツ管理システム。
【発明の詳細な説明】
【技術分野】
【０００１】
本発明は、記録メディアにコンテンツを記録する際、コンテンツの映像・音声データを記録せずにそれを指し示す情報を記録することによりコンテンツを管理するシステムに関する。
【背景技術】
【０００２】
従来、映像制作分野において、テープを用いた制作環境では、各工程間でテープを受け渡しすることで作業を進めている。たとえば、典型的な仮編集から本編集への作業の流れを示すと、まず仮編集の担当者がオフライン編集を行って、素材のつなぎの情報などの編集情報を保持するＥＤＬ（Ｅｄｉｔ  Ｄｅｃｉｓｉｏｎ  Ｌｉｓｔ）を作成する。仮編集の担当者はこのＥＤＬの記録されたディスク等の記録媒体と素材のテープとを本編集担当者に渡すことで、作業の引継ぎを完了する。次に本編集の担当者がそのＥＤＬをもとに本編集にかかる。このようなテープベースでの作業の流れにおいては、仮編集の担当者は、仮編集を行って本編集担当者にＥＤＬと素材を渡すところまでが自身の責任範囲になり、責任範囲の特定がしやすいという利点がある。一方、担当者間の情報の共有化がされず、作業が重複し無駄な作業が発生するという問題がある。
【０００３】
これに対して、ノンリニア編集機（例えば、特許文献１を参照。）やコンテンツサーバなどのＩＴ機器を活用して、局内のシステムをコンピュータ化、ネットワーク化してコンピュータベースで作業を行うことで効率を上げようとする動きが活発になってきている。たとえば、仮編集担当者は、テープなどのメディアに入った素材をコンテンツとしてサーバにアップロードし（インジェストし）、サーバのコンテンツを用いてノンリニア編集し、編集結果のＥＤＬをサーバに登録する。そして、本編集担当者に編集情報のありかをメールなどで通知し、作業を完了する。通知を受けた本編集担当者は編集情報を利用して、本編集を始めるワークフローが可能になってきた。
【特許文献１】特開平６−２６７２４６号公報
【発明の開示】
【発明が解決しようとする課題】
【０００４】
このようなコンテンツサーバを用いたシステムは、各工程での並列作業ができ、作業が効率化できるという利点がある一方、作業の引継ぎがあいまいになるという問題がある。また、コンテンツサーバ内のコンテンツにアクセスするには、ＷＥＢブラウザなどのコンピュータＧＵＩを用いる必要があり、所望のコンテンツを探すのに手間取ることもある。そのため、テープベースの制作スタイルに慣れた人は、コンピュータベースの作業への不安感と、メディアベースの引継ぎでないことによる不安感を持ち、コンピュータベースのシステムへの移行がスムーズにいかないという課題がある。
【０００５】
上記課題に鑑み本発明は、ＩＴ化された制作環境においても担当者間でテープを受け渡す感覚でコンテンツが受け渡されるワークフローを構築し、テープベースの制作スタイルに慣れた人が違和感なくＩＴ化された制作環境に溶け込め、かつＩＴ化のメリットも受けられる仕組み作りを行うことが目的である。
【課題を解決するための手段】
【０００６】
上記課題を解決するために本発明のコンテンツ管理システムは、コンテンツを保存及び管理するコンテンツサーバと、コンテンツの所在を指し示す情報であるインジェスト情報を記録メディアに記録するコンテンツポインタ記録手段と、記録メディアに記録されているインジェスト情報をもとにコンテンツの所在を認識してコンテンツサーバから取得するコンテンツ取得手段と、コンテンツ取得手段が取得したコンテンツを表示するコンテンツ表示手段を具備する構成である。
【発明の効果】
【０００７】
本発明のコンテンツ管理システムによれば、ＩＴ化された環境であっても従来のテープベースの運用と同様の運用ができるようになり、効率化されたシステムへの移行をスムーズに行うことができる。
【発明を実施するための最良の形態】
【０００８】
まず、本発明の運用例を図１に示す。カメラ１０１で撮影した映像はテープ１０２に記録される。オペレータ１０８はテープ１０２のデータを、インジェスト端末１０３を用いてキャプチャ（デジタイズとも言う）して、ネットワーク経由でコンテンツサーバ１０４に送信する（コンテンツサーバ１０４へインジェストすると言う）。その際、インジェストされたコンテンツを参照するための情報である管理情報が半導体メモリカード１０５へ記録される。半導体メモリカード１０５はオペレータ１０８から編集者１０９の手に渡される。編集者１０９は、半導体メモリカード１０５を再生機１０６に挿入する。再生機１０６は半導体メモリカード１０５に記録されている管理情報を元に、ネットワーク経由でコンテンツサーバ１０４からコンテンツを読み出しながら再生を行い、モニタ１０７に映像を表示する。上記の流れにより、編集者１０９はテープをオペレータから受け取り、ＶＴＲに挿入して再生するのと同じ作業により、編集作業を行うことができるようになる。
【０００９】
次に、本実施の形態のコンテンツ管理システムの構成を図２に示す。
【００１０】
メディア２００は、撮影や編集などでできたコンテンツが記録されたメディアであり、テープ１０２の他、光ディスク、半導体メモリ及びＨＤＤなどの記録メディアが使用可能である。
【００１１】
インジェスト端末１０３は、インジェスト手段２０１およびコンテンツポインタ作成手段２０３を備えるＰＣまたは専用装置であり、再生機１０６は、コンテンツ取得手段２０５およびコンテンツ表示手段２０６を備えるＰＣまたは専用装置である。
【００１２】
インジェスト手段２０１は、メディア２００からコンテンツを読み出して、コンテンツサーバ１０４にインジェストする。インジェストするコンテンツはメディア２００に記録されているコンテンツすべてでも良いし、一部でも良い。
【００１３】
コンテンツサーバ１０４は、インジェストされたコンテンツを保存、管理するサーバで、コンテンツの映像・音声データ及びこれらの映像・音声データに関する情報（メタデータ）を保持している。コンテンツサーバ１０４は、インジェストされたコンテンツの管理情報を、コンテンツＩＤテーブルとして管理している。図３に、コンテンツＩＤテーブルの一例を示す。コンテンツＩＤテーブルとは、コンテンツのＩＤとインジェストされたコンテンツの登録番号との関連を取るためのデータベースである。コンテンツＩＤとは、コンテンツを識別するためのＩＤで、コンテンツサーバ１０４内で一意の値が付与される。このコンテンツＩＤは、登録されるときにコンテンツサーバ１０４が生成する番号でも良いし、インジェスト前のコンテンツに関連付けされているＵＭＩＤ（Ｕｎｉｑｕｅ  Ｍａｔｅｒｉａｌ  Ｉｄｅｎｔｉｆｉｅｒ  ＳＭＰＴＥ  ３３０Ｍ）などのグローバルユニークなＩＤでも良い。登録番号とは、同時にインジェストされたコンテンツを区別するためにコンテンツに付与される番号である。同時にインジェストされたコンテンツには、同じ登録番号が付与される。インジェストされたコンテンツは、コンテンツサーバ１０４において図４のようなディレクトリ構造で管理されており、外部からは￥￥ｃｏｎｔｅｎｔｓ＿ｓｅｒｖｅｒ￥Ｃｏｎｔｅｎｔｓ￥０００１．ＤＡＴなどと指定することでアクセスできる。
【００１４】
コンテンツサーバ１０４は最新の登録番号を保持しており、インジェストが完了すると、同時にインジェストしたすべてコンテンツのＩＤに対して最新の登録番号を関連付け、今関連付けた登録番号の値を１つインクリメントする。例えば、コンテンツサーバ１０４が０００１、０００２という名前の２つのコンテンツを格納しており、これらには登録番号として“１”が関連付けられているとすると、サーバ内のデータベースには図３に示すコンテンツＩＤテーブルに登録番号１までが登録されている状態である３０１部分が記録されており、コンテンツサーバ１０４は次に付ける登録番号は“２”であることを記憶している。ここでさらに、０００３、０００４、０００５という名前の３つのコンテンツが同時にインジェストされた場合、各コンテンツの登録番号を“２”としてコンテンツＩＤテーブルに記録するとともに、次に付ける登録番号を“３”へとインクリメントする。
【００１５】
インジェスト手段２０１は、インジェスト終了後、コンテンツポインタ作成手段２０３にインジェストしたサーバのサーバ名と登録番号を通知する。コンテンツポインタ作成手段２０３は通知された情報（インジェスト情報）を、コンテンツサーバ１０４に挿入されている仮想カード２０４に記録する。このインジェスト情報は、図５に示すような内容を持ったインジェスト情報ファイルとして記録される。インジェスト情報ファイルにおいては、“ｓｅｒｖｅｒ”がサーバ名を、“ｒｅｇｉｓｔｅｒ＿ｉｄ”が登録番号を表す。図５においては、サーバ名が“ｃｏｎｔｅｎｔｓ＿ｓｅｒｖｅｒ”、登録番号が“２”であることを示している。インジェスト情報は、コンテンツの所在を指し示す情報として使用される。
【００１６】
仮想カード２０４はインジェスト情報ファイルを格納するメディアで、半導体メモリカード１０５の他、ＵＳＢメモリ、フロッピー（登録商標）ディスクなどのリムーバブルメディアである。
【００１７】
オペレータ１０８は、コンテンツをインジェストすることでインジェスト情報ファイルが書かれた仮想カード２０４を取り出し、編集者１０９に渡す。編集者１０９は、コンテンツサーバ１０４に保存されているコンテンツに対して作業を行うときに、受け取った仮想カード２０４を再生機１０６に挿入し、作業を開始する。なお、この運用は、仮編集後のテープを編集者に渡し、編集者がそのテープを用いて本編集を行うという従来の運用と類似しているため、このような従来の運用に慣れ親しんだ人にとって導入が容易である。
【００１８】
コンテンツ取得手段２０５は、挿入された仮想カード２０４に記録されているファイルを読み込み、ファイル中のインジェスト情報にしたがってコンテンツの所在を認識する。インジェスト情報が図５に示すものである場合、サーバ名が“ｃｏｎｔｅｎｔｓ＿ｓｅｒｖｅｒ”であるコンテンツサーバ１０４のコンテンツＩＤテーブルから登録番号が“２”のコンテンツを検索し、その結果、３つのコンテンツ０００３、０００４、０００５を取得する。そして、コンテンツサーバ１０４が管理するディレクトリ構造の情報から、それぞれ  ￥￥ｃｏｎｔｅｎｔｓ＿ｓｅｒｖｅｒ￥Ｃｏｎｔｅｎｔｓ￥０００３．ＤＡＴ、￥￥ｃｏｎｔｅｎｔｓ＿ｓｅｒｖｅｒ￥Ｃｏｎｔｅｎｔｓ￥０００４．ＤＡＴ、￥￥ｃｏｎｔｅｎｔｓ＿ｓｅｒｖｅｒ￥Ｃｏｎｔｅｎｔｓ￥０００５．ＤＡＴにコンテンツの映像データが記録されていることを認識する。
【００１９】
そして、コンテンツ取得手段２０５は、￥￥ｃｏｎｔｅｎｔｓ＿ｓｅｒｖｅｒ￥Ｃｏｎｔｅｎｔｓ￥０００３．ＤＡＴから０００３のコンテンツを読み出す。コンテンツ表示手段２０６は、コンテンツ取得手段２０５が読み出したデータをモニタなどに表示する。０００４、０００５のコンテンツについても同様である。
【００２０】
以上より、オペレータ１０８の操作によりインジェスト手段２０１でインジェストしたコンテンツが最終的に、編集者１０９の操作によりコンテンツ表示手段２０６に表示されることになる。
【００２１】
なお、コンテンツ取得手段２０５及びコンテンツ表示手段２０６は、再生機１０６での実装を例にとって述べたが、ＷＥＢブラウザで実現することもできる。ＷＥＢブラウザを使用するときの仮想カード２０４に記録されるファイルの一例を図６に示す。図６にはｈｔｔｐ：／／ｃｏｎｔｅｎｔｓ＿ｓｅｒｖｅｒ／ｍｅｄｉａ．ｐｈｐ（サーバ名が“ｃｏｎｔｅｎｔｓ＿ｓｅｒｖｅｒ”であるコンテンツサーバ１０４上で動作するスクリプトへのＵＲＬ）に対し、ｒｅｇｉｓｔｅｒ＿ｉｄが“２”の項目を表示することを要求する内容が記載されている。このファイルをＷＥＢブラウザに読み込ませると、ＷＥＢブラウザはコンテンツサーバ１０４でＰＨＰスクリプトを実行することを要求し、ＨＴＭＬ形式の結果（図７）を得る。図７で示されるＨＴＭＬファイルをＷＥＢブラウザが表示すると、図８のようなサムネール形式でコンテンツをブラウズできる。
【００２２】
本実施の形態ではコンテンツポインタ作成手段２０３は、インジェスト手段２０１と連動して動作するようになっていたが、図９のような構成でも良い。インジェスト端末１０３上で動作するプログラムであるコンテンツ検索手段４０１は、図１０のようなＧＵＩにより撮影者、撮影場所、撮影日などの検索条件をオペレータ１０８に入力させる。そして、コンテンツ検索手段４０１は、入力された検索条件に該当するコンテンツをコンテンツサーバ２０２上で検索する。コンテンツ検索手段４０１は、入力された検索条件をコンテンツポインタ作成手段２０３に通知し、コンテンツポインタ作成手段２０３は仮想カード２０４に対し、この検索条件を図１１（ａ）に示すような情報として記録する。図１１（ａ）は、撮影者（ｓｈｏｏｔｅｒ）がｓａｔｏｈ、撮影場所（ｐｌａｃｅ）がｏｓａｋａ、そして撮影日（ｄａｔｅ）が２００５年８月３１日であるという情報を示している。また、コンテンツポインタ作成手段２０３は、図１１（ｂ）に示すような、インジェストする前に記録されていたメディアのＩＤ（図１１（ｂ）中のｓｅｒｉａｌｎｏ）や図１１（ｃ）に示すようなコンテンツＩＤ（図１１（ｃ）中のｃｏｎｔｅｎｔｓ１〜３）を検索条件として仮想カード２０４に記録してもよい。コンテンツＩＤテーブルが、図１２に示すように撮影者、撮影日、撮影場所、メディアのＩＤを格納しているとすると、図１１（ａ）の例では、コンテンツ取得手段２０５は検索条件「撮影者＝ｓａｔｏｈ  ＡＮＤ  撮影場所＝ｏｓａｋａ  ＡＮＤ  撮影日＝２００５年８月３１日」でコンテンツＩＤテーブルを検索し、コンテンツＩＤ０００１、０００２のコンテンツが検索条件に合うコンテンツであることを特定する。また、図１１（ｂ）では検索条件「メディアＩＤ＝ＡＢＣＤ−ＥＦＧ」でコンテンツＩＤテーブルを検索し、コンテンツＩＤ０００１、０００２のコンテンツが検索条件に合うコンテンツであることを特定する。図１１（ｃ）では検索条件「コンテンツＩＤ＝０００３  ＯＲ  コンテンツＩＤ＝０００４  ＯＲ  コンテンツＩＤ＝０００５」でコンテンツＩＤテーブルを検索し、コンテンツＩＤ０００３、０００４、０００５のコンテンツが検索条件に合うコンテンツであることを特定する。
【００２３】
仮想カード２０４に記録される情報は少ないので、リムーバブルメディアではなくスマートカードなどを利用しても良い。
【００２４】
コンテンツサーバ１０４のディレクトリ構造は図４で示す構成以外でも良く、ファイルの取得方法はＦＴＰなどファイル共有以外の方法でも良い。
【００２５】
コンテンツサーバ１０４はコンテンツＩＤテーブルをデータベースで管理することとして説明したが、単一ファイルなど別の手段を用いても良い。また、コンテンツサーバ１０４はネットワーク先にあることを前提として説明したが、インジェスト端末１０３及び再生機１０６の少なくともいずれか一方と同一の機器として構成しても良い。
【産業上の利用可能性】
【００２６】
本発明のコンテンツ管理システムは、従来のテープベースの運用と同様の運用ができるため、放送局における制作システムのＩＴベース局システムへの移行をスムーズに行うためにも有用である。
【図面の簡単な説明】
【００２７】
【図１】本発明の実施の形態の一運用形態例を示す図
【図２】本発明の実施の形態のシステム構成を示す図
【図３】コンテンツＩＤテーブルを示す図
【図４】コンテンツの映像・音声データのディレクトリ構造の一例を示す図
【図５】仮想カードに書き込むデータの第一の例を示す図
【図６】仮想カードに書き込むデータの第二の例を示す図
【図７】コンテンツサーバからの応答結果（ＨＴＭＬ）を示す図
【図８】コンテンツサーバからの応答のＷＥＢブラウザでの表示例を示す図
【図９】コンテンツ検索手段を用いたシステム構成を示す図
【図１０】コンテンツポインタ記録手段での記憶項目指定画面を示す図
【図１１】仮想カードに書き込むデータの第三の例を示す図
【図１２】コンテンツＩＤテーブルの別の例を示す図
【符号の説明】
【００２８】
１０１  カメラ
１０２  テープ
１０３  インジェスト端末
１０４  コンテンツサーバ
１０５  半導体メモリカード
１０６  再生機
１０７  モニタ
１０８  インジェスト端末のオペレータ
１０９  編集者
２００  メディア
２０１  インジェスト手段
２０３  コンテンツポインタ記録手段
２０４  仮想カード
２０５  コンテンツ取得手段
２０６  コンテンツ表示手段
３０１  コンテンツＩＤテーブルに登録番号１までが登録されている状態
４０１  コンテンツ検索手段
【図１】
2007128620.tif 000003
【図２】
2007128620.tif 000004
【図３】
2007128620.tif 000005
【図４】
2007128620.tif 000006
【図５】
2007128620.tif 000007
【図６】
2007128620.tif 000008
【図７】
2007128620.tif 000009
【図８】
2007128620.tif 000010
【図９】
2007128620.tif 000011
【図１０】
2007128620.tif 000012
【図１１】
2007128620.tif 000013
【図１２】
2007128620.tif 000014